(57)【要約】【課題】排水性能を維持した便器装置を提供する。【解決手段】便器１の排水路１４の出口端部１４ａが挿入されたＺ方向に開口した接続部６２と、壁面Ｗに設けられた排水配管Ｄの入口端部Ｄ１に挿入されて接続部６２とＸ方向に開口した接続部６４と、接続部６２及び６４との間に設けられて接続部６４よりも下方に張り出した排水流路６６とを有する排水ソケット６０を有し、接続部６４の流出口６５の下端６５ａのうち壁面Ｗに最も近い位置６５ａ１と排水路１４の下端１４ａのうち壁面に最も近い位置１４ａ１との距離Ｇで決定される、排水流路６６の最小断面積を排水路１４の断面積よりも大きくした便器装置１００を提供する。【選択図】図１
2008240247.tif 000002
【特許請求の範囲】
【請求項１】
便器の排水路の出口端部が挿入された第１の接続部と、壁面に設けられた排水配管の入口端部に挿入されて前記第１の接続部と垂直な方向に開口した第２の接続部と、前記第１の接続部と前記第２の接続部との間に設けられて前記第２の接続部よりも下方に張り出した排水流路とを有する排水ソケットを有し、
前記第２の接続部の流出口の下端の前記壁面に最も近い位置と前記出口端部の下端の前記壁面に最も近い位置との距離で決定される、前記排水流路の最小断面積を前記排水路の前記出口端部の断面積よりも大きくしたことを特徴とする壁排水用の排水ソケットを有する便器装置。
【請求項２】
前記出口端部は径５３ｍｍ乃至６０ｍｍを有し、前記距離は６２ｍｍ以上であることを特徴とする請求項１記載の壁排水用の排水ソケットを有する便器装置。
【請求項３】
前記排水流路は、前記排水路の出口端部の中心線よりも前記壁面側に偏心した中心を有する球面状の張り出し部を有することを特徴とする請求項１記載の壁排水用の排水ソケットを有する便器装置。
【請求項４】
前記偏心量は１乃至１８ｍｍであることを特徴とする請求項３記載の便器装置。
【請求項５】
前記排水路の前記出口端部が前記第１の接続部に挿入される前記便器を固定する床面に垂直な方向の長さは２０ｍｍ乃至６０ｍｍであり、前記排水路の前記出口端部から前記第２の接続部の流出口の下端を通って前記床面に平行な平面までの前記床面に垂直な方向の距離は５０ｍｍ乃至９０ｍｍであることを特徴とする請求項１記載の壁排水用の排水ソケットを有する便器装置。
【請求項６】
前記排水流路の最深部と、前記排水流路と前記第２の接続部の流出口の下端の前記壁面に最も近い位置とを結ぶ直線と前記床面に平行な平面とのなす角度は１°乃至２５°であり、前記壁面と前記出口端部の中心線との距離は６５ｍｍ乃至１１５ｍｍであることを特徴とする請求項１記載の壁排水用の排水ソケットを有する便器装置。
【請求項７】
前記排水ソケットは、
前記第１の接続部と、前記第２の接続部と、前記排水流路とを有する排水ソケット本体と、
前記床面上に配置され、前記排水ソケット本体を支持する支持部と、
前記排水配管の前記入口端部と前記第２の接続部とがほぼ同じ高さになるように前記排水ソケット本体の高さを調整する高さ調整手段とを有することを特徴とする請求項１記載の壁排水用の排水ソケットを有する便器装置。
【請求項８】
便器の排水路の内径５３ｍｍ乃至６０ｍｍの出口端部が挿入可能な第１の接続部と、壁面に設けられ、排水配管の入口端部に挿入可能で前記第１の接続部と垂直な方向に開口した第２の接続部と、前記第１の接続部と前記第２の接続部との間に設けられて前記第２の接続部よりも下方に張り出した排水流路とを有する排水ソケット本体と、前記床面上に配置され前記排水ソケット本体を支持する支持部と、前記排水配管の前記入口端部と前記第２の接続部とがほぼ同じ高さになるように前記排水ソケット本体の高さを調整する高さ調整手段とを有する壁排水用の排水ソケットであって、
前記排水流路は、前記排水路の出口端部の中心線よりも前記壁面側に偏心した中心を有する球面状の張り出し部を有し、前記張り出し部の中心の前記端面に垂直な方向の偏心量は１０ｍｍ乃至１８ｍｍであり、前記第２の接続部の前記第１の接続部側の端面と前記第１の接続部の中心線との前記端面に垂直な方向の距離は６５ｍｍ乃至１１５ｍｍであることを特徴とする壁排水用の排水ソケット。
【請求項９】
前記排水流路の最深部と、前記第２の接続部の流出口の下端の前記壁面に最も近い位置とを結ぶ直線と前記第１の接続部の端面に平行な平面とのなす角度は１°乃至２５°であることを特徴とする請求項７記載の壁排水用の排水ソケット。
【請求項１０】
前記第１の接続部の前記排水路側の端面から前記第２の接続部の流出口の下端を通って前記端面に平行な平面までの前記端面に垂直な方向の距離は１１４ｍｍ乃至１８０ｍｍであり、前記排水路の前記出口端部は前記第１の接続部に前記端面に垂直な方向に２０ｍｍ乃至６０ｍｍだけ挿入可能であることを特徴とする請求項７記載の壁排水用の排水ソケット。
【発明の詳細な説明】
【技術分野】
【０００１】
本発明は、一般には、便器装置に係り、特に、便器の汚物を壁側に排水する壁排水用の排水ソケットと、それを有する便器装置に関する。
【背景技術】
【０００２】
近年、便器装置の小型化が益々要求されているが、その場合、排水性能の維持が重要となる。排水性能は、汚物を流す力であるサイホン力と汚物の流れ易さである流路の形状に依存する。サイホン現象は、貯水位置と出水位置の位置エネルギーの差を利用するため、図８（ａ）に示す便器の排水路２１０のＺ方向の高さの差である高さｈ（封水深を決める下端である排水路２１０入口開口上端と排水路下端との高さ）がサイホン力を決定する。高さｈが大きければ大きいほどサイホン力が大きくなる。一方、便器装置２００の小型化のためには、現状では８００ｍｍ程度である、壁面Ｗから便器２０２の先端２０３までのＸ方向の全長Ｌを小さくする必要がある。ここで、図８（ａ）は特許文献１の図２９に記載された従来の壁排水便器装置２００の断面図である。
【０００３】
壁排水では排水路２１０に着脱可能な排水ソケット２２０を使用する。排水ソケット２２０は、支持部２２２と、接続部２２４及び２２６とを有する。支持部２２２は、床面ＦＬから壁面Ｗに設けられた排水配管Ｄの中心線までの高さＪが１００ｍｍ乃至１５５ｍｍの範囲で変化することからＺ方向の高さが可変に構成されている。接続部２２４には便器の排水路２１０の出口端部が挿入され、接続部２２６は排水配管Ｄの入口端部に挿入される。汚物は便器２０２から排水路２１０、接続部２２４及び２２６を経て排水配管Ｄに排水される。この際、排水ソケット２２０は、汚物が流れる方向を排水流路２２５において９０°変換する。排水ソケット２２０も、小型化に合わせて、図８(ｂ)に示す排水ソケット２２０の壁面Ｗから接続部２２４の中心線までのＸ方向の長さＡ’を小さくする必要がある。ここで、図８（ｂ）は特許文献１の図２８に記載された、図８（ａ）の排水ソケット２２０の拡大断面図である。
【０００４】
その他の従来技術としては特許文献２がある。
【特許文献１】特開２００５−４８４０７号公報（図１１、図２８、図２９）
【特許文献２】特開平８−２６０５５１号公報
【発明の開示】
【発明が解決しようとする課題】
【０００５】
特許文献１は、図１１などにおいて接続部２２６の流出口の下端２２７を最下点とする流路を開示している。しかし、高さＪが大きくなると排水路２１０の出口端部の接続部２２４内への挿入量が大きくなる。この結果、排水路２１０の出口端部の端面２１２と、端面２１２の直下の排水流路２２５との距離Ｊ１が小さくなる。距離Ｊ１が小さくなると汚物が９０°回転しにくくなり、その結果、流れ易さが低下する。特許文献１は、図２８及び図２９において、Ｒがついた拡張部２２８を設け、接続部２２６の下端２２７から張り出した最下点２２９を設けることを提案している。これに伴い、距離Ｊ１が増加するために流れ易さは改善する。しかし、同公報は、拡張部２２８を含む流路２２５の形状を詳しく検討していないので、必ずしも排水性能が十分ではなく、特に、便器装置２００を小型にする場合に適した流路２２５の形状の設定方法が問題となる。
【０００６】
そこで、本発明は、排水性能を維持した便器装置を提供することを例示的な目的とする。
【課題を解決するための手段】
【０００７】
本発明の一側面としての便器装置は、便器の排水路の出口端部が挿入された第１の接続部と、壁面に設けられた排水配管の入口端部に挿入されて前記第１の接続部と垂直な方向に開口した第２の接続部と、前記第１の接続部と前記第２の接続部との間に設けられて前記第２の接続部よりも下方に張り出した排水流路とを有する排水ソケットを有し、前記第２の接続部の流出口の下端の前記壁面に最も近い位置と前記出口端部の下端の前記壁面に最も近い位置との距離で決定される、前記排水流路の最小断面積を前記排水路の前記出口端部の断面積よりも大きくしたことを特徴とする。かかる便器装置は、前記排水流路の最小断面積を前記排水路の前記出口端部の断面積よりも大きくしているので流れ易さが向上している。
【０００８】
前記出口端部は径５３ｍｍ乃至６０ｍｍを有し、前記距離は６２ｍｍ以上であることが好ましい。この場合に、汚物の残りや詰まりが改善されることが確認された。
【０００９】
また、前記排水流路は、前記排水路の出口端部の中心線よりも前記壁面側に偏心した中心を有する球面状の張り出し部を有し、前記排水配管の内径は７５ｍｍであり、前記壁面と前記出口端部の中心線との距離Ａ’は６５ｍｍ乃至１１５ｍｍであり、前記張り出し部の中心の前記壁面に垂直な方向の偏心量Ｅは１０ｍｍ乃至１８ｍｍであることが好ましい。偏心により、汚物の向きを排水口側へ向かせ汚物の移動を容易にする。距離Ａ’を６５ｍｍ以上に設定することによって汚物が９０°回転するスペースを確保して流れ易さを確保する。距離Ａ’を１１５ｍｍ以下に設定することによって便器装置の小型化を確保する。また、偏心量Ｅを１ｍｍ以上に設定することによって汚物の向きを排水口側へ向かせ汚物の移動を容易にする。偏心量Ｅを１８ｍｍ以下に設定することによって排水流路の最深部から第２の接続部に至る角度が急激になって汚物が張り出し部に滞留することを防止して流れ易さを確保する。
【００１０】
また、前記排水路の前記出口端部が前記第１の接続部に挿入される前記床面に垂直な方向の長さＨは２０ｍｍ乃至６０ｍｍであり、前記排水路の前記出口端部から前記第２の接続部の流出口の下端を通って前記床面に平行な平面までの前記床面に垂直な方向の距離Ｂは５０ｍｍ乃至９０ｍｍであることが好ましい。距離Ｈを６４ｍｍ以上に設定することによってサイホン力を確保すると共にシール不良を防止する。距離Ｈを９０ｍｍ以下に設定することによって排水トラップ管路１４の出口端部１４ａが排水流路６６内に溜まった排水に常時接触することを防止する。また、距離Ｂを９０ｍｍ以下に設定することによってサイホン力を確保すると共に汚物の詰まりを防止する。距離Ｂを５０ｍｍ以上に設定することによって排水路の出口端部が排水流路に溜まった排水に常時接触することを防止する。
【００１１】
前記排水流路の最深部と、前記第２の接続部の流出口の下端の前記壁面に最も近い位置とを結ぶ直線と前記床面に平行な平面とのなす角度Ｄは１°乃至２５°であり、前記壁面と前記出口端部の中心線との距離Ａ’は６５ｍｍ乃至１１５ｍｍであることが好ましい。角度Ｄを１°以上に設定することによって汚物が９０°回転するスペースを確保して流れ易さを確保する。角度Ｄを２５°以下に設定することによって張り出し部の深さが深くなって汚物が張り出し部に滞留することを防止し、汚物の流れ易さを確保する。距離Ａ’を６５ｍｍ以上に設定することによって汚物が９０°回転するスペースを確保して流れ易さを確保する。距離Ａ’を１１５ｍｍ以下に設定することによって便器装置の小型化を確保する。
【００１２】
前記排水ソケットは、前記第１の接続部と、前記第２の接続部と、前記排水流路とを有する排水ソケット本体と、前記床面上に配置され、前記排水ソケット本体を支持する支持部と、前記排水配管の前記入口端部と前記第２の接続部とがほぼ同じ高さになるように前記排水ソケット本体の高さを調整する高さ調整手段とを有してもよい。このような高さ可変の排水ソケットでは、排水配管の高さが高い場合に上述の問題が発生するため、本発明は特に有効である。
【００１３】
本発明の一側面としての排水ソケットは、便器の排水路の内径５３ｍｍ乃至６０ｍｍの出口端部が挿入可能な第１の接続部と、壁面に設けられ、内径７５ｍｍの排水配管の入口端部に挿入可能で前記第１の接続部と垂直な方向に開口した第２の接続部と、前記第１の接続部と前記第２の接続部との間に設けられて前記第２の接続部よりも下方に張り出した排水流路とを有する排水ソケット本体と、前記床面上に配置され前記排水ソケット本体を支持する支持部と、前記排水配管の前記入口端部と前記第２の接続部とがほぼ同じ高さになるように前記排水ソケット本体の高さを調整する高さ調整手段とを有する排水ソケットであって、前記排水流路は、前記排水路の出口端部の中心線よりも前記壁面側に偏心した中心を有する球面状の張り出し部を有し、前記張り出し部の中心の前記端面に垂直な方向の偏心量は１０ｍｍ乃至１８ｍｍであり、前記第２の接続部の前記第１の接続部側の端面と前記第１の接続部の中心線との前記端面に垂直な方向の距離は６５ｍｍ乃至１１５ｍｍであることを特徴とする。かかる排水ソケットは、偏心により、汚物の向きを排水口側へ向かせ汚物の移動を容易にする。距離Ａ’を６５ｍｍ以上に設定することによって汚物が９０°回転するスペースを確保して流れ易さを確保する。距離Ａ’を１１５ｍｍ以下に設定することによって便器装置の小型化を確保する。また、偏心量Ｅを１ｍｍ以上に設定することによって排水の滞留を低減して汚物の移動を容易にする。偏心量Ｅを１８ｍｍ以下に設定することによって排水流路の最深部から第２の接続部に至る角度が急激になって汚物が張り出し部に滞留することを防止して流れ易さを確保する。
【００１４】
前記排水流路の最深部と、前記第２の接続部の流出口の下端の前記壁面に最も近い位置とを結ぶ直線と前記第１の接続部の端面に平行な平面とのなす角度Ｄは１０°乃至２５°であることが好ましい。角度Ｄを１０°以上に設定することによって汚物が９０°回転するスペースを確保して流れ易さを確保する。角度Ｄを２５°以下に設定することによって張り出し部の深さが深くなって汚物が張り出し部に滞留することを防止し、汚物の流れ易さを確保する。前記第１の接続部の前記排水路側の端面から前記第２の接続部の流出口の下端を通って前記端面に平行な平面までの前記端面に垂直な方向の距離（Ｂ＋Ｈ）は７０ｍｍ乃至１５０であり、前記排水路の前記出口端部は前記第１の接続部に前記端面に垂直な方向に２０ｍｍ乃至６０ｍｍの距離Ｈだけ挿入可能であることが好ましい。この数値条件においてサイホン力と流れ易さを確保することができる。
【００１５】
本発明の更なる目的又はその他の特徴は、以下、添付図面を参照して説明される好ましい実施例によって明らかにされるであろう。
【発明の効果】
【００１６】
本発明によれば、壁排水ソケットにおける排水性能を維持した便器装置を提供することができる。
【発明を実施するための最良の形態】
【００１７】
以下、図１を参照して、本発明の一実施例の便器装置１００について説明する。ここで、図１は、便器装置１００のブロック図である。便器装置１００は、便器１と、便器１を洗浄する洗浄部５０と、排水ソケット６０とを有する。
【００１８】
便器１は、水洗大便器であり、図１に示すように、内側に汚物を受けるボウル部１２を有する陶器製の本体２と、本体２の上に配置された図示しない便座と、便座を覆うように配置されたカバーと、本体２の後方上部に配置された局部洗浄装置とを有する。便器装置１００は、壁面Ｗと、便器１の壁面Ｗから最も遠い本体２の先端３までのＸ方向の長さＬは７５０ｍｍ以下であり、従来の８００ｍｍから小型になっている。このような小型の便器装置１００を達成するのに後述する排水ソケット６０は特に有効である。更に、小型化に対しては、便器１の座面の高さＮは３７０ｍｍ乃至３９０ｍｍが望ましい。高さＮが３７０ｍｍ以下では使用者が水はね（おつり）を受けるおそれがあり、高さＮが３９０ｍｍよりも高いと使用容易性と小型化を阻害する。
【００１９】
洗浄部５０は、リム洗浄（又はボウル洗浄）と、便器洗浄と、溜水供給とを行う。リム洗浄では、ボウル部１２の縁であるリム１３を洗浄する。便器洗浄では、ボウル部１２のリム１３から下を洗浄し、サイホン現象を利用してボウル部１２の汚物と溜水を排水配管Ｄから排水する。溜水供給は、下水からの臭気が便器内に流入することを防止する溜水をボウル部１２に供給する。
【００２０】
洗浄部５０は、給水系と、リム洗浄／溜水供給系と、便器洗浄系と、制御部４０とを有する。
【００２１】
給水系は、洗浄水を供給する水道管に直結され、便器洗浄系への給水とリム洗浄／溜水供給系への給水を切替弁２８を介して切り替える。
【００２２】
リム洗浄／溜水供給系は、水道の給水圧力によりリム口１８から洗浄水を吐出してリム洗浄と溜水供給を行う。リム洗浄／溜水供給系は、後述するポンプ３４を介した水の経路（洗浄水管路３３ｂ）とは別の、ポンプ３４を介さない経路（リム給水路１８ａ）を使用する。
【００２３】
便器洗浄系は、ポンプ３４によりサイホン現象を発生させて便器洗浄を行う。便器洗浄系は、排水トラップ管路（排水路）１４と、ジェット口１６と、タンク３２と、ポンプ３４とを有する。
【００２４】
排水トラップ管路１４は、ボウル部１２の底部から斜め上方に延びた後で下降するＳ字形状を有し、サイホン現象が発生する部位である。排水トラップ管路１４の出口端部１４ａは排水ソケット６０に挿入される。ジェット口１６は、サイホン現象を発生させるのに必要な水の噴出と溜水の供給を行う。ジェット口１６は、ボウル部１２の底部に形成され、排水トラップ管路１４の入口に向けて大容量の水を吐水する。
【００２５】
タンク３２は、サイホン現象の発生に必要な水を貯える。本実施形態のタンク３２は、３リットル以下（約２．５リットル乃至３リットル）の内容積を有する。ポンプ３４は、タンク３２に貯水された水を加圧してジェット口１６から吐き出す。ポンプ３４は、タンク３２の満水位置Ｌ６よりも下に配置され、タンク３２の満水時にはポンプ３４に水が供給されている。ポンプ３４の流出口は、洗浄水管路３４ｂを介して、ボウル部１２底部のジェット口１６に接続されている。
【００２６】
タンク３２内の満水位置Ｌ６は、ボウル部１２内の溜水位置Ｌ７よりも高く設定することができる。本実施例では溜水位置Ｌ７の床面ＦＬからの高さは、１２０ｍｍ乃至１２５ｍｍである。溜水位置Ｌ７の床面ＦＬからの高さが１２０ｍｍよりも低いとサイホンに時間がかかり、１２５ｍｍよりも高いと使用者がおつりを受けるおそれがある。
【００２７】
洗浄部５０は、便器洗浄において、ジェット口１６から勢い良く水を噴出して強制的にサイホン現象を起こさせるサイホンゼット式を採用する。ジェット口１６の径を大きくして６０リットル/分〜１２０リットル/分の大流量の洗浄水を供給できるのポンプ３４を利用して供給することによってサイホン現象を起こすために排水トラップ管路１４を素早く満水にしてサイホン現象を直ちに発生することができる。これに加えて、サイホン現象の終了間際に排水トラップ管路１４の開口上端部から空気が流入しない程度に前記上端を覆うほどの容量の水を連続して供給することによって、サイホン切れの時に吸い込む空気の量を抑えてサイホン切れ時の騒音を抑えている。
【００２８】
洗浄部５０は、タンク３２を有するが、タンク３２の容量を約３リットル以下に抑えることによってタンクレス式と同等の小型化を実現している。本発明者らは、便器１の洗浄には５．５リットルの水が必要であり、サイホン現象を起こす最小限の水量が３リットルであることを発見した。また、リム洗浄で使用する２．５リットルの水は水圧が低くても洗浄効果を維持することができる。このため、リム洗浄／溜水供給系の経路であるリム給水路１８ａを、ポンプ３４を使用する経路である洗浄水管路３３ｂとは分離してリム洗浄にはタンク３２の水を使用しないことにした。この結果、タンク３２はリム洗浄／溜水供給用の水を貯める必要がなくなり、その容量を便器洗浄用の洗浄水のみを収納する容量、即ち、サイホン現象に必要な３リットルの容量とすることができる。タンク３２の容量を小さく抑えることによって便器装置１００の小型化を実現することができる。なお、タンク３２が貯めるべき水量を３リットル未満（例えば、２．５リットル）として更なる便器装置１００の小型化を実現し、便器洗浄時にタンク３２への給水を同時に行うことによって便器洗浄用の３リットルを確保してもよい。このように、ポンプ３４を使用するサイホンゼット式の洗浄方式の便器装置１００は小型化に好適である。
【００２９】
制御部４０は、図示しない操作部に入力された情報や及び図示しないメモリに格納された情報に基づいて各部の動作を制御するＣＰＵから構成される。
【００３０】
排水ソケット６０は、便器１の排水トラップ管路１４の出口端部と壁面Ｗに設けられた排水配管Ｄの入口端部とを連通させ、汚物が流れる方向を排水流路６６において９０°変換する機能を有する。排水ソケット６０は、排水ソケット本体６１と、支持部７０と、高さ調整手段７６とを有する。
【００３１】
図２（ａ）と図２（ｂ）に示すように、排水ソケット本体６１の高さは後述する高さ調整手段７６によって調節可能である。ここで、図２（ａ）は、床面ＦＬから排水配管Ｄの入口端部Ｄ１の中心線Ｄ２までの高さＪが１２０ｍｍである場合に、それに合わせて高さ調節された排水ソケット６０の状態を示している。図２（ｂ）は、高さＪが１５５ｍｍである場合に、それに合わせて高さ調節された排水ソケット６０の状態を示している。
【００３２】
高さＪは１００ｍｍ乃至１５５ｍｍの範囲内で１００ｍｍ、１２０ｍｍ、１４８ｍｍ、１５５ｍｍの基準高さのいずれかをとるように設計される。但し、各基準高さで施工誤差のために数ミリのバラツキがある。本実施例の高さ調整手段７６により、排水ソケット６０は１２０ｍｍ乃至１５５ｍｍの範囲の高さＪに対応可能である。高さ調整は、必ずしも１００ｍｍ〜１５５ｍｍの全てに対応できなくても構わなく、１００〜１２０ｍｍに対応できるものとしても良い。
【００３３】
図２（ａ）と図２（ｂ）とを比較すると、床面ＦＬから中心線Ｄ２までの高さが１５５ｍｍの場合に排水トラップ管１４がより深く排水ソケット本体６１の内部に入り込むことが理解される。排水トラップ管１４がより深く排水ソケット本体６１の内部に入り込むとそれだけ排水ソケット本体６１内部の排水流路が狭くなり流れ易さが低下する。換言すれば、高さ調整の上限高さＪが１５５ｍｍの場合に所定の排水性能が確保されれば高さＪが１２０ｍｍの場合には所定の排水性能が確保されていることになる。このため、以下では、高さＪが１５５ｍｍの場合に排水性能を確保するための構成について検討する。なお、上述のように、施工誤差があるために高さＪが１５５ｍｍである場合を、本出願では高さＪが１５０ｍｍ以上と呼ぶ場合がある。
【００３４】
排水ソケット本体６１は、図３に示すように、接続部６２及び６４と、排水流路６５とを有する。排水ソケット本体６１は、塩化ビニールその他の樹脂から構成される。このように、本実施例では、排水ソケット６０は排水トラップ管路１４とは別体の樹脂ソケットであるが、排水トラップ管路１４に一体の陶器ソケットであることを妨げない。
【００３５】
接続部（第１の接続部）６２は円環形状を有し、接続部６２には便器１の排水トラップ管路１４の出口端部１４ａが挿入される。接続部６２には、Ｚ方向に開口する流入口６３が円環内部に形成される。Ｚ方向は鉛直方向で壁面Ｗに平行で床面Ｆに垂直な方向である。出口端部１４ａの径Ｆは５３ｍｍ乃至６０ｍｍに設定されている。ＪＩＳ規格は径Ｆに５０．８ｍｍの径を要求しているので余裕を持って５３ｍｍ以上としている。径Ｆが６０ｍｍよりも大きいと接続部６２の流入口６３の径を大きくしなければならず排水ソケット６０のサイホン現象の起動が遅くなり、汚物の残りが生じるためである。
【００３６】
排水トラップ管路１４の出口端部１４ａが接続部６２に挿入されるＸ方向の長さＨ（陶器部の排水ソケットへの挿入長さ）は、２０ｍｍ乃至６０ｍｍである。Ｘ方向は壁面Ｗに垂直で床面ＦＬに平行な方向である。距離Ｈを２０ｍｍ以上に設定することによってサイホン力を確保すると共にシール不良を防止する。距離Ｈを６０ｍｍ以下に設定することによって排水トラップ管路１４の出口端部１４ａが排水流路６６内に溜まった排水に常時接触することを防止する。
【００３７】
接続部６４の外側の端面６４ａと、接続部６２の流入口６３又は排水トラップ管路１４の出口端部１４ａの中心線Ｍ１との距離Ａは１００ｍｍ乃至１５０ｍｍに設定されている。接続部６４の内側の端面６４ｂ又は壁面Ｗと中心線Ｍ１との距離Ａ’は６５ｍｍ乃至１１５ｍｍに設定されている。距離Ａを１００ｍｍ以上に設定すること又は距離Ａ’を６５ｍｍ以上に設定することによって汚物が９０°回転するスペースを確保して流れ易さを確保する。距離Ａを１５０ｍｍ以下に設定すること及び距離Ａ’を１１５ｍｍ以下に設定することによって便器装置１００の小型化を確保する。
【００３８】
接続部（第２の接続部）６４は円環形状を有し、壁面Ｗに設けられた排水配管Ｄの入口端部Ｄ１に挿入される。接続部６４には、Ｘ方向に開口する流出口６５が円環内部に形成される。排水配管Ｄの入口端部Ｄ１の径は、本実施例では、７５ｍｍである。接続部６４の流出口６５の下端６５ａの壁面Ｗに最も近い位置（端部）６５ａ１と出口端部１４ａの下端１４ｂの壁面Ｗに最も近い位置（端部）１４ｂ１との距離Ｇは排水流路６６の最小断面積を決定する。距離Ｇは径Ｆよりも大きく設定されることが望ましい。
【００３９】
特許文献１の図２８及び図２９は、図４に示すように、図面上でも、排水路内径Ｆ1とそれより小さい排水流路径Ｇ１が存在し、排水路内径Ｆ１の導水路断面積より小さな断面積（絞り部）が存在する場合がある。排水路でサイホン現象を誘発させた後に更に絞り部が存在すると絞り部が圧力損失となり、排水が滞溜して排出性能が低下するおそれがある。
【００４０】
これに対して、排水流路６６の最小断面積を排水トラップ管路１４の出口端部１４ａの断面積よりも大きくしているので流れ易さが向上する。本実施例では距離Ｄは６２ｍｍ以上に設定される。この条件の時に、汚物の残りや詰まりが改善されることが確認された。
【００４１】
排水流路６６は、接続部６２及び６６との間に設けられ、接続部６６よりも下方に張り出している。かかる張り出しにより、特許文献１のように図８（ａ）に示す距離Ｊ１を長く確保することができる。
【００４２】
排水流路６６は、排水トラップ管路１４の出口端部１４ａの中心線Ｍ１よりも壁面Ｗ側に偏心した中心Ｏを中心線Ｍ２上に有し、中心Ｏを中心とする球面状の張り出し部６７を有する。偏心がなければ、図５に示すような領域Ｐが大きくなり、汚物の向きを排水口側へ向かせにくくなり、排出性能が低下する。偏心により、汚物の向きを排水口側へ向かせ、汚物の移動を容易にすることができる。
【００４３】
中心線Ｍ１とＭ２の距離で規定される、張り出し部６７の中心の偏心量Ｅは１ｍｍ乃至１８ｍｍに設定される。偏心量Ｅを１ｍｍ以上に設定することによって汚物の向きを排水口側へ向かせ汚物の移動を容易にすることができるが、汚物を効果的に排水口側へ誘導するには、１０ｍｍ以上あることが望ましい。また、偏心量Ｅを１８ｍｍ以下に設定することによって排水流路６６の最深部６７ａから接続部６４の流出口６５の下端６５ａの壁面Ｗに最も近い位置（端部）６５ａ１に至る角度が急激になって汚物が張り出し部に滞留することを防止して流れ易さを確保することができる。
【００４４】
排水トラップ管路１４の出口端部１４ａから接続部６４の流出口６５の下端６５ａを通って床面ＦＬに平行な平面ＶまでのＸ方向の距離Ｂは５０ｍｍ乃至９０ｍｍに設定されている。平面Ｖは排水流路６６の張り出し部６７に溜まった排水の水面と同じである。距離Ｂを９０ｍｍ以下に設定することによってサイホン力を確保すると共に汚物の詰まりを防止する。距離Ｂを５０ｍｍ以上に設定することによって排水流路６６の張り出し部６７に溜まった排水に常時接触することを防止する。
【００４５】
この結果、接続部６２の排水トラップ管路１４側の端面６２ａから平面ＶまでのＺ方向（端面６２ａに垂直な方向）の距離（Ｂ＋Ｈ）は７０ｍｍ乃至１５０ｍｍである。この数値条件においてサイホン力と流れ易さを確保することができる。
【００４６】
排水流路６６の張り出し部６７の最深部６７ａと位置（端部）６５ａ１とを結ぶ直線Ｑと平面Ｖとのなす角度Ｄは１°乃至２５°に設定されている。角度Ｄを１°以上に設定することによって汚物が９０°回転するスペースを確保して流れ易さを確保する。角度Ｄを２５°以下に設定することによって張り出し部の深さが深くなって汚物が張り出し部に滞留することを防止し、汚物の流れ易さを確保する。このように、壁面Ｗからの最深部６７ａまでの距離を極力短くして排水性能を確保している。
【００４７】
最深部６７ａの深さＣは、３０ｍｍ以下、特に、１０ｍｍ乃至２５ｍｍに設定される。深さＣを１０ｍｍ以上に設定したのは距離Ｊ１を確保するためである。深さＣを３０ｍｍ以下は角度Ｄと距離Ａ’から決定される。
【００４８】
図６（ａ）は排水ソケット６０の断面図であり、図６（ｂ）は排水ソケット６０の斜視図である。図６（ａ）及び図６（ｂ）に示すように、支持部７０は、一端が排水ソケット本体６２に固定されて排水ソケット本体６１を支持するロッド部材７２と床面ＦＬ上に載置される台座７４から構成される。高さ調整手段７６は、ロッド部材７２の中央から他端にかけて外面に形成されたネジ部７３と台座７４に貫通孔として形成されてロッド部材７２のネジ部７３が係合するネジ孔７５を有する。高さ調整手段７６は、ロッド部材７２のネジ部７３を排水ソケット本体６１と共に回転することによって床面ＦＬから流出口６５の中心線が排水配管Ｄの入口端部Ｄ１の中心線Ｄ２と一致するように、即ち、入口端部Ｄ１と接続部６４がほぼ同じ高さになるように排水ソケット本体６１の高さを調整する。本実施例の高さ調整手段７６は、上述のように、高さＪが１２０ｍｍ乃至１５５ｍｍの範囲で排水ソケット本体６１の高さを調整することができる。このような高さ可変の排水ソケット６０で特に本発明は有効である。但し、排水ソケット６０は高さ可変でなくても１５５ｍｍの高さ専用であってもよい。
【００４９】
以下、図７（ａ）乃至図７（ｈ）を参照して、便器装置１００の動作について説明する。ここで、図７（ａ）乃至図７（ｈ）は、便器装置１００の動作を説明する断面図である。
【００５０】
まず、制御部４０は、使用者による操作部の便器洗浄スイッチの操作を受け付け、切替弁２８をリム側に切り替えて前リム洗浄を行う。具体的には、水道水が切替弁２８を通過し、リム給水路１８ａを通ってリム口１８から吐出される。リム口１８から吐出された水は、ボウル部１２内を旋回しながら下降してボウル部１２の内壁面を洗浄する。リム洗浄はポンプ３４を介さないリム給水路１８ａを介して行われる。ボウル部１２のリム１３の洗浄は水圧が弱くても足りるのでタンク３２内の水をポンプ３４により加圧して吐出する必要がない。このため、タンク３２の水が減らないのでその後にタンク３２への給水を行う必要もなく、便器洗浄とその後の溜水供給に直ちに移行することができる。
【００５１】
前リム洗浄後、制御部４０は、切替弁２８をタンク側に切り替えてタンク３２への給水を開始すると共に、ポンプ３４を制御して便器洗浄を行う。具体的には、図７（ａ）の待機状態において、タンク３２内に貯水されていた水は、ポンプ３４に流入して加圧される。ポンプ３４が加圧した水は洗浄水管路３３ｂを通ってジェット口１６から吐出される。ジェット口１６から吐出された洗浄水は排水トラップ管路１４内に流入し、排水トラップ管路１４を満水にしてサイホン現象を引き起こす。この状態を図７（ｂ）に示す。これにより、ボウル部１２内の溜水及び汚物は、排水トラップ管路１４に吸引され、排水配管Ｄから排出される。排水ソケット６０は小型化しても従来と同等の排水性能を維持する。次に、図７（ｃ）に示すように、排水トラップ管路１４の入り口から空気を吸入し、サイホン現象が終わるきっかけとなる。
【００５２】
便器洗浄においては、大容量の水がジェット口１６から低速で吐出されるようにポンプ３４は高速回転する。この結果、サイホン現象を素早く発生させて溜水及び汚物を素早く排出することができる。また、サイホン現象が素早く発生するので無駄水も少なくなる。更に、サイホン現象が切れた後も図７（ｄ）に示すようにジェット流が続くため、サイホン切れ時に吸い込む空気の量が少なく静音である。続いて、図７（ｅ）に示すように、浮遊系物質を排出し、図７（ｆ）に示すように、ジェット流の漸減と共に排出動作が終了する。その後、制御部４０は、ポンプ３４を停止して便器洗浄を終了する。但し、制御部４０は、タンクへの給水は維持する。制御部４０は、便器洗浄の開始と共にタンク３２への給水を行っており、溜水を早期に供給することができる。
【００５３】
次に、制御部４０は、切替弁２８をリム側に切り替えて後リム洗浄を開始する。図７（ｇ）に示すように、ジェット流の戻りで水シールはほぼできている。リム吐水口１８からの２回目の吐水によって溜水推移は上昇して図７（ｈ）に示す待機状態となる。その後、再び、切替弁２８がタンク側に切り替わってタンクの給水を行う。なお、溜水供給をポンプを利用した経路３４ｂで行ってもよい。
【００５４】
以上、本発明の実施の形態を説明したが、本発明はこれらの実施の形態に限定されず、その要旨の範囲内で様々な変形及び変更が可能である。例えば、本実施例の洗浄方式は、ポンプを使用したサイホンゼット式であるが、ポンプを使用しないロータンク式のサイホンゼット式又はサイホンブロー式を使用してもよい。タンク給水便器のサイホン作用の起動方法としては、上記実施例のトラップ部に絞りを陶器一体又はソケット側に構成すれば、その部分で洗浄水が滞留して上流側を早期に満水にしてサイホン現象を起こすことができる。絞り部は特許文献２に開示されている。
【図面の簡単な説明】
【００５５】
【図１】図１に示す便器装置のブロック図である。
【図２】図２（ａ）と図２（ｂ）は、それぞれ図１に示す排水ソケットが高さ１２０ｍｍの排水配管に取り付けられた場合と高さ１５５ｍｍの排水配管に取り付けられた場合の断面図である。
【図３】図１に示す排水ソケットの拡大断面図である。
【図４】従来の排水ソケットの部分拡大断面図である。
【図５】図１に示す排水ソケットの部分拡大断面図である。
【図６】図６（ａ）と図６（ｂ）は、それぞれ図１に示す排水ソケットの断面図と斜視図である。
【図７】図７（ａ）乃至図７（ｈ）は、図１に示す便器装置の動作を説明する断面図である。
【図８】図８（ａ）は従来の便器装置の断面図であり、図８（ｂ）は図８（ａ）の便器装置の排水ソケットの拡大断面図である。
【符号の説明】
【００５６】
１                        便器
３２                      タンク
３４                      ポンプ
６０                      排水ソケット
６１                      排水ソケット本体
６２                      （第１の）接続部
６４                      （第２の）接続部
６６                      排水流路
１００                    便器装置
【図１】
2008240247.tif 000003
【図２】
2008240247.tif 000004
【図３】
2008240247.tif 000005
【図４】
2008240247.tif 000006
【図５】
2008240247.tif 000007
【図６】
2008240247.tif 000008
【図７】
2008240247.tif 000009
【図８】
2008240247.tif 000010
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
便器の排水路の出口端部が挿入された第１の接続部と、壁面に設けられた排水配管の入口端部に挿入されて前記第１の接続部と垂直な方向に開口した第２の接続部と、前記第１の接続部と前記第２の接続部との間に設けられて前記第２の接続部よりも下方に張り出した排水流路とを有する排水ソケットを有し、
前記第２の接続部の流出口の下端の前記壁面に最も近い位置と前記出口端部の下端の前記壁面に最も近い位置との距離で決定される、前記排水流路の最小断面積を前記排水路の前記出口端部の断面積よりも大きくしたことを特徴とする壁排水用の排水ソケットを有する便器装置。
【請求項２】
前記出口端部は径５３ｍｍ乃至６０ｍｍを有し、前記距離は６２ｍｍ以上であることを特徴とする請求項１記載の壁排水用の排水ソケットを有する便器装置。
【請求項３】
前記排水流路は、前記排水路の出口端部の中心線よりも前記壁面側に偏心した中心を有する球面状の張り出し部を有することを特徴とする請求項１記載の壁排水用の排水ソケットを有する便器装置。
【請求項４】
前記偏心量は１乃至１８ｍｍであることを特徴とする請求項３記載の便器装置。
【請求項５】
前記排水路の前記出口端部が前記第１の接続部に挿入される前記便器を固定する床面に垂直な方向の長さは２０ｍｍ乃至６０ｍｍであり、前記排水路の前記出口端部から前記第２の接続部の流出口の下端を通って前記床面に平行な平面までの前記床面に垂直な方向の距離は５０ｍｍ乃至９０ｍｍであることを特徴とする請求項１記載の壁排水用の排水ソケットを有する便器装置。
【請求項６】
前記排水流路の最深部と、前記排水流路と前記第２の接続部の流出口の下端の前記壁面に最も近い位置とを結ぶ直線と前記床面に平行な平面とのなす角度は１°乃至２５°であり、前記壁面と前記出口端部の中心線との距離は６５ｍｍ乃至１１５ｍｍであることを特徴とする請求項１記載の壁排水用の排水ソケットを有する便器装置。
【請求項７】
前記排水ソケットは、
前記第１の接続部と、前記第２の接続部と、前記排水流路とを有する排水ソケット本体と、
前記床面上に配置され、前記排水ソケット本体を支持する支持部と、
前記排水配管の前記入口端部と前記第２の接続部とがほぼ同じ高さになるように前記排水ソケット本体の高さを調整する高さ調整手段とを有することを特徴とする請求項１記載の壁排水用の排水ソケットを有する便器装置。
【請求項８】
便器の排水路の内径５３ｍｍ乃至６０ｍｍの出口端部が挿入可能な第１の接続部と、壁面に設けられ、排水配管の入口端部に挿入可能で前記第１の接続部と垂直な方向に開口した第２の接続部と、前記第１の接続部と前記第２の接続部との間に設けられて前記第２の接続部よりも下方に張り出した排水流路とを有する排水ソケット本体と、前記床面上に配置され前記排水ソケット本体を支持する支持部と、前記排水配管の前記入口端部と前記第２の接続部とがほぼ同じ高さになるように前記排水ソケット本体の高さを調整する高さ調整手段とを有する壁排水用の排水ソケットであって、
前記排水流路は、前記排水路の出口端部の中心線よりも前記壁面側に偏心した中心を有する球面状の張り出し部を有し、前記張り出し部の中心の前記端面に垂直な方向の偏心量は１０ｍｍ乃至１８ｍｍであり、前記第２の接続部の前記第１の接続部側の端面と前記第１の接続部の中心線との前記端面に垂直な方向の距離は６５ｍｍ乃至１１５ｍｍであることを特徴とする壁排水用の排水ソケット。
【請求項９】
前記排水流路の最深部と、前記第２の接続部の流出口の下端の前記壁面に最も近い位置とを結ぶ直線と前記第１の接続部の端面に平行な平面とのなす角度は１°乃至２５°であることを特徴とする請求項８記載の壁排水用の排水ソケット。
【請求項１０】
前記第１の接続部の前記排水路側の端面から前記第２の接続部の流出口の下端を通って前記端面に平行な平面までの前記端面に垂直な方向の距離は１１４ｍｍ乃至１８０ｍｍであり、前記排水路の前記出口端部は前記第１の接続部に前記端面に垂直な方向に２０ｍｍ乃至６０ｍｍだけ挿入可能であることを特徴とする請求項８記載の壁排水用の排水ソケット。
【手続補正２】
【補正対象書類名】明細書
【補正対象項目名】００２２
【補正方法】変更
【補正の内容】
【００２２】
リム洗浄／溜水供給系は、水道の給水圧力によりリム口１８から洗浄水を吐出してリム洗浄と溜水供給を行う。リム洗浄／溜水供給系は、後述するポンプ３４を介した水の経路（洗浄水管路３４ｂ）とは別の、ポンプ３４を介さない経路（リム給水路１８ａ）を使用する。
【手続補正３】
【補正対象書類名】明細書
【補正対象項目名】００２７
【補正方法】変更
【補正の内容】
【００２７】
洗浄部５０は、便器洗浄において、ジェット口１６から勢い良く水を噴出して強制的にサイホン現象を起こさせるサイホンゼット式を採用する。ジェット口１６の径を大きくして６０リットル/分〜１２０リットル/分の大流量の洗浄水を供給できるポンプ３４を利用して供給することによってサイホン現象を起こすために排水トラップ管路１４を素早く満水にしてサイホン現象を直ちに発生することができる。これに加えて、サイホン現象の終了間際に排水トラップ管路１４の開口上端部から空気が流入しない程度に前記上端を覆うほどの容量の水を連続して供給することによって、サイホン切れの時に吸い込む空気の量を抑えてサイホン切れ時の騒音を抑えている。
【手続補正４】
【補正対象書類名】明細書
【補正対象項目名】００２８
【補正方法】変更
【補正の内容】
【００２８】
洗浄部５０は、タンク３２を有するが、タンク３２の容量を約３リットル以下に抑えることによってタンクレス式と同等の小型化を実現している。本発明者らは、便器１の洗浄には５．５リットルの水が必要であり、サイホン現象を起こす最小限の水量が３リットルであることを発見した。また、リム洗浄で使用する２．５リットルの水は水圧が低くても洗浄効果を維持することができる。このため、リム洗浄／溜水供給系の経路であるリム給水路１８ａを、ポンプ３４を使用する経路である洗浄水管路３４ｂとは分離してリム洗浄にはタンク３２の水を使用しないことにした。この結果、タンク３２はリム洗浄／溜水供給用の水を貯める必要がなくなり、その容量を便器洗浄用の洗浄水のみを収納する容量、即ち、サイホン現象に必要な３リットルの容量とすることができる。タンク３２の容量を小さく抑えることによって便器装置１００の小型化を実現することができる。なお、タンク３２が貯めるべき水量を３リットル未満（例えば、２．５リットル）として更なる便器装置１００の小型化を実現し、便器洗浄時にタンク３２への給水を同時に行うことによって便器洗浄用の３リットルを確保してもよい。このように、ポンプ３４を使用するサイホンゼット式の洗浄方式の便器装置１００は小型化に好適である。
【手続補正５】
【補正対象書類名】明細書
【補正対象項目名】００３３
【補正方法】変更
【補正の内容】
【００３３】
図２（ａ）と図２（ｂ）とを比較すると、床面ＦＬから中心線Ｄ２までの高さが１５５ｍｍの場合に排水トラップ管路１４がより深く排水ソケット本体６１の内部に入り込むことが理解される。排水トラップ管路１４がより深く排水ソケット本体６１の内部に入り込むとそれだけ排水ソケット本体６１内部の排水流路が狭くなり流れ易さが低下する。換言すれば、高さ調整の上限高さＪが１５５ｍｍの場合に所定の排水性能が確保されれば高さＪが１２０ｍｍの場合には所定の排水性能が確保されていることになる。このため、以下では、高さＪが１５５ｍｍの場合に排水性能を確保するための構成について検討する。なお、上述のように、施工誤差があるために高さＪが１５５ｍｍである場合を、本出願では高さＪが１５０ｍｍ以上と呼ぶ場合がある。
【手続補正６】
【補正対象書類名】明細書
【補正対象項目名】００３５
【補正方法】変更
【補正の内容】
【００３５】
接続部（第１の接続部）６２は円環形状を有し、接続部６２には便器１の排水トラップ管路１４の出口端部１４ａが挿入される。接続部６２には、Ｚ方向に開口する流入口６３が円環内部に形成される。Ｚ方向は鉛直方向で壁面Ｗに平行で床面ＦＬに垂直な方向である。出口端部１４ａの径Ｆは５３ｍｍ乃至６０ｍｍに設定されている。ＪＩＳ規格は径Ｆに５０．８ｍｍの径を要求しているので余裕を持って５３ｍｍ以上としている。径Ｆが６０ｍｍよりも大きいと接続部６２の流入口６３の径を大きくしなければならず排水ソケット６０のサイホン現象の起動が遅くなり、汚物の残りが生じるためである。
【手続補正７】
【補正対象書類名】明細書
【補正対象項目名】００３８
【補正方法】変更
【補正の内容】
【００３８】
接続部（第２の接続部）６４は円環形状を有し、壁面Ｗに設けられた排水配管Ｄの入口端部Ｄ１に挿入される。接続部６４には、Ｘ方向に開口する流出口（排水流路）６５が円環内部に形成される。排水配管Ｄの入口端部Ｄ１の径は、本実施例では、７５ｍｍである。接続部６４の流出口６５の下端６５ａの壁面Ｗに最も近い位置（端部）６５ａ１と出口端部１４ａの下端１４ｂの壁面Ｗに最も近い位置（端部）１４ｂ１との距離Ｇは排水流路６６の最小断面積を決定する。距離Ｇは径Ｆよりも大きく設定されることが望ましい。
【手続補正８】
【補正対象書類名】明細書
【補正対象項目名】００４１
【補正方法】変更
【補正の内容】
【００４１】
排水流路６６は、接続部６２及び６４との間に設けられ、接続部６４よりも下方に張り出している。かかる張り出しにより、特許文献１のように図８（ａ）に示す距離Ｊ１を長く確保することができる。
【手続補正９】
【補正対象書類名】明細書
【補正対象項目名】００４４
【補正方法】変更
【補正の内容】
【００４４】
排水トラップ管路１４の出口端部１４ａから接続部６４の流出口６５の下端６５ａを通って床面ＦＬに平行な平面ＶまでのＺ方向の距離Ｂは５０ｍｍ乃至９０ｍｍに設定されている。平面Ｖは排水流路６６の張り出し部６７に溜まった排水の水面と同じである。距離Ｂを９０ｍｍ以下に設定することによってサイホン力を確保すると共に汚物の詰まりを防止する。距離Ｂを５０ｍｍ以上に設定することによって排水流路６６の張り出し部６７に溜まった排水に常時接触することを防止する。
【手続補正１０】
【補正対象書類名】明細書
【補正対象項目名】００４８
【補正方法】変更
【補正の内容】
【００４８】
図６（ａ）は排水ソケット６０の断面図であり、図６（ｂ）は排水ソケット６０の斜視図である。図６（ａ）及び図６（ｂ）に示すように、支持部７０は、一端が排水ソケット本体６１に固定されて排水ソケット本体６１を支持するロッド部材７２と床面ＦＬ上に載置される台座７４から構成される。高さ調整手段７６は、ロッド部材７２の中央から他端にかけて外面に形成されたネジ部７３と台座７４に貫通孔として形成されてロッド部材７２のネジ部７３が係合するネジ孔７５を有する。高さ調整手段７６は、ロッド部材７２のネジ部７３を排水ソケット本体６１と共に回転することによって床面ＦＬから流出口６５の中心線が排水配管Ｄの入口端部Ｄ１の中心線Ｄ２と一致するように、即ち、入口端部Ｄ１と接続部６４がほぼ同じ高さになるように排水ソケット本体６１の高さを調整する。本実施例の高さ調整手段７６は、上述のように、高さＪが１２０ｍｍ乃至１５５ｍｍの範囲で排水ソケット本体６１の高さを調整することができる。このような高さ可変の排水ソケット６０で特に本発明は有効である。但し、排水ソケット６０は高さ可変でなくても１５５ｍｍの高さ専用であってもよい。
【手続補正１１】
【補正対象書類名】明細書
【補正対象項目名】００５１
【補正方法】変更
【補正の内容】
【００５１】
前リム洗浄後、制御部４０は、切替弁２８をタンク側に切り替えてタンク３２への給水を開始すると共に、ポンプ３４を制御して便器洗浄を行う。具体的には、図７（ａ）の待機状態において、タンク３２内に貯水されていた水は、ポンプ３４に流入して加圧される。ポンプ３４が加圧した水は洗浄水管路３４ｂを通ってジェット口１６から吐出される。ジェット口１６から吐出された洗浄水は排水トラップ管路１４内に流入し、排水トラップ管路１４を満水にしてサイホン現象を引き起こす。この状態を図７（ｂ）に示す。これにより、ボウル部１２内の溜水及び汚物は、排水トラップ管路１４に吸引され、排水配管Ｄから排出される。排水ソケット６０は小型化しても従来と同等の排水性能を維持する。次に、図７（ｃ）に示すように、排水トラップ管路１４の入り口から空気を吸入し、サイホン現象が終わるきっかけとなる。
【手続補正１２】
【補正対象書類名】明細書
【補正対象項目名】００５３
【補正方法】変更
【補正の内容】
【００５３】
次に、制御部４０は、切替弁２８をリム側に切り替えて後リム洗浄を開始する。図７（ｇ）に示すように、ジェット流の戻りで水シールはほぼできている。リム口１８からの２回目の吐水によって溜水推移は上昇して図７（ｈ）に示す待機状態となる。その後、再び、切替弁２８がタンク側に切り替わってタンクの給水を行う。なお、溜水供給をポンプを利用した洗浄水管路３４ｂで行ってもよい。
【手続補正１３】
【補正対象書類名】図面
【補正対象項目名】図１
【補正方法】変更
【補正の内容】
【図１】
2008240247.tif 000011
【手続補正１４】
【補正対象書類名】図面
【補正対象項目名】図３
【補正方法】変更
【補正の内容】
【図３】
2008240247.tif 000012